(57)【要約】【課題】  生体情報の測定結果を見易い表示形式で表示可能な生体情報測定装置及び生体情報測定システムを提供する。【解決手段】生体情報を測定するに先立って、複数の運動条件のうちいずれかの運動条件を入力部３１０により設定すると、測定結果を表示する間隔が表示部３３０に設定される。その後に、筋電測定装置１０，１０によって身体各部の生体情報を測定すると、設定された運動条件に応じて、この設定された表示間隔で測定結果を表示するように表示部３３０が制御される。【選択図】図２
2007301229.tif 000002
【特許請求の範囲】
【請求項１】
身体各部の生体情報を測定する測定手段と、
前記測定手段によって生体情報を測定する際の測定条件を設定する条件設定手段と、
前記測定手段での生体情報の測定によって得られた測定結果を経時的に表示する表示手段と、
前記条件設定手段により設定された前記測定条件に応じて、前記表示手段に前記測定結果を表示する間隔を設定する表示間隔設定手段と、
前記表示間隔設定手段により設定された表示間隔で前記測定結果を表示するように前記表示手段を制御する表示制御手段と、
を備えることを特徴とする生体情報測定装置。
【請求項２】
身体各部の生体情報を測定する測定手段と、
前記測定手段によって生体情報を測定するに先立って、複数の運動条件のうちいずれかの運動条件を設定する運動条件設定手段と、
前記測定手段での生体情報の測定によって得られた測定結果を経時的に表示する表示手段と、
前記運動条件設定手段により設定された前記運動条件に応じて、前記表示手段に前記測定結果を表示する間隔を設定する表示間隔設定手段と、
前記表示間隔設定手段により設定された表示間隔で前記測定結果を表示するように前記表示手段を制御する表示制御手段と、
を備えることを特徴とする生体情報測定装置。
【請求項３】
前記運動条件設定手段によって設定される前記運動条件は運動継続時間であり、
前記表示間隔設定手段は、前記運動条件設定手段によって設定された前記運動継続時間が短いときに前記測定手段により測定された前記測定結果を前記表示手段に表示する間隔を小さく設定する短期間隔設定手段と、前記運動条件設定手段によって設定された前記運動継続時間が長いときに前記測定手段により測定された前記測定結果を前記表示手段に表示する間隔を大きく設定する長期間隔設定手段と、を備えていることを特徴とする請求項２に記載の生体情報測定装置。
【請求項４】
身体各部の生体情報を測定する測定装置と、前記測定装置による生体情報の測定によって得られた測定結果を経時的に表示する制御装置とを備えた生体情報測定システムであって、
前記制御装置は、
前記測定装置によって生体情報を測定する際の測定条件を設定する条件設定手段と、
前記測定装置での生体情報の測定によって得られた測定結果を経時的に表示する表示手段と、
前記条件設定手段により設定された前記測定条件に応じて、前記表示手段に前記測定結果を表示する間隔を設定する表示間隔設定手段と、
前記表示間隔設定手段により設定された表示間隔で前記測定結果を表示するように前記表示手段を制御する表示制御手段と、
を備えることを特徴とする生体情報測定システム。
【請求項５】
身体各部の生体情報を測定する測定装置と、前記測定装置による生体情報の測定によって得られた測定結果を経時的に表示する制御装置とを備えた生体情報測定システムであって、
前記制御装置は、
前記測定装置によって生体情報を測定するに先立って、複数の運動条件のうちいずれかの運動条件を設定する運動条件設定手段と、
前記測定装置での生体情報の測定によって得られた測定結果を経時的に表示する表示手段と、
前記運動条件設定手段により設定された前記運動条件に応じて、前記表示手段に前記測定結果を表示する間隔を設定する表示間隔設定手段と、
前記表示間隔設定手段により設定された表示間隔で前記測定結果を表示するように前記表示手段を制御する表示制御手段と、
を備えることを特徴とする生体情報測定システム。
【請求項６】
前記測定装置は、少なくとも第１の測定装置及び第２の測定装置であり、
前記制御装置は、
前記各測定装置での生体情報の測定によって得られた測定結果を受信する受信手段を備え、
前記表示制御手段は、前記受信手段によって受信した前記各測定装置による測定結果を前記各測定装置ごとに表示するように前記表示手段を制御する測定結果表示制御手段を備えたことを特徴とする請求項４又は請求項５に記載の生体情報測定システム。
【発明の詳細な説明】
【技術分野】
【０００１】
本発明は、生体情報測定装置及び生体情報測定システムに係り、特に、生体情報を測定して得られた測定結果を表示可能な生体情報測定装置及び生体情報測定システムに関する。
【背景技術】
【０００２】
従来から、例えば筋電位、脈拍、血圧、体温等の生体情報の変化を測定する生体情報測定システムが知られている。この生体情報測定システムは、医療機器としてだけではなく、健康維持や、運動状態を把握するため等の目的で広く利用されている。このうち筋電位を測定する生体情報測定システムとしては、例えば、装着部位の筋電位を測定して筋肉状態を推定し、推定した筋肉状態を表示するものが知られている（特許文献１参照）。
【特許文献１】特開２００４−２０２１９６号公報
【発明の開示】
【発明が解決しようとする課題】
【０００３】
しかしながら、この特許文献１に開示されている技術は、表示を要求する表示ボタンを押すと、測定開始時から積算された筋肉状態を表す値が数字で表示される構成であるため、筋肉状態を表示することは可能であるが、運動等に伴う筋肉状態の経時的変化を表示することはできない。
【０００４】
また、運動等を行う場合には、運動の種類や運動を行う者（ユーザ）によってそれぞれ運動の継続時間や動作回数等が異なる。このため、筋肉状態等の生体情報の経時的変化を表示する場合に、運動の種類やユーザの違いに関わりなく同じように表示部に表示を行うと、運動の継続時間や動作回数等によっては筋肉状態等の生体情報の経時的変化を十分に表示部上の表示に現わすことができなかったり、表示が細かくなりすぎて見づらくなるという問題があった。
【０００５】
本発明は、上記した問題点に鑑み為されたもので、生体情報の測定結果を見易い表示形式で表示可能な生体情報測定装置及び生体情報測定システムを提供することを目的としている。
【課題を解決するための手段】
【０００６】
以上の課題を解決するために請求項１に記載の発明は、身体各部の生体情報を測定する測定手段（例えば、図２の筋電測定装置１０，１０）と、
前記測定手段によって生体情報を測定する際の測定条件を設定する条件設定手段（例えば、図２の入力部３１０；図９のステップａ１）と、
前記測定手段での生体情報の測定によって得られた測定結果を経時的に表示する表示手段（例えば、図２の表示部３３０；図１０のステップａ１４）と、
前記条件設定手段により設定された前記測定条件に応じて、前記表示手段に前記測定結果を表示する間隔を設定する表示間隔設定手段（例えば、図２のＣＰＵ３２０；図９のステップａ２〜ａ７）と、
前記表示間隔設定手段により設定された表示間隔で前記測定結果を表示するように前記表示手段を制御する表示制御手段（例えば、図２のＣＰＵ３２０；図９のステップａ１４，ａ１５）と、
を備えることを特徴とする生体情報測定装置である。
【０００７】
また、請求項２に記載の発明は、身体各部の生体情報を測定する測定手段（例えば、図２の筋電測定装置１０，１０）と、
前記測定手段によって生体情報を測定するに先立って、複数の運動条件のうちいずれかの運動条件を設定する運動条件設定手段（例えば、図２の入力部３１０；図９のステップａ１）と、
前記測定手段での生体情報の測定によって得られた測定結果を経時的に表示する表示手段（例えば、図２の表示部３３０；図１０のステップａ１４）と、
前記運動条件設定手段により設定された前記運動条件に応じて、前記表示手段に前記測定結果を表示する間隔を設定する表示間隔設定手段（例えば、図２のＣＰＵ３２０；図９のステップａ２〜ａ７）と、
前記表示間隔設定手段により設定された表示間隔で前記測定結果を表示するように前記表示手段を制御する表示制御手段（例えば、図２のＣＰＵ３２０；図９のステップａ１４，ａ１５）と、
を備えることを特徴とする生体情報測定装置である。
【０００８】
また、請求項３に記載の発明は、請求項２に記載の生体情報測定装置において、前記運動条件設定手段によって設定される前記運動条件は運動継続時間であり、
前記表示間隔設定手段は、前記運動条件設定手段によって設定された前記運動継続時間が短いときに前記測定手段により測定された前記測定結果を前記表示手段に表示する間隔を小さく設定する短期間隔設定手段（例えば、図２のＣＰＵ３２０；図９のステップａ２〜ａ５）と、前記運動条件設定手段によって設定された前記運動継続時間が長いときに前記測定手段により測定された前記測定結果を前記表示手段に表示する間隔を大きく設定する長期間隔設定手段（例えば、図２のＣＰＵ３２０；図９のステップａ６，ａ７）と、を備えていることを特徴とする。
【０００９】
請求項４に記載の発明は、身体各部の生体情報を測定する測定装置（例えば、図２の筋電測定装置１０，１０）と、前記測定装置による生体情報の測定によって得られた測定結果を経時的に表示する制御装置（例えば、図２の制御装置３０）とを備えた生体情報測定システムであって、
前記制御装置は、
前記測定装置によって生体情報を測定する際の測定条件を設定する条件設定手段（例えば、図２の入力部３１０；図９のステップａ１）と、
前記測定装置での生体情報の測定によって得られた測定結果を経時的に表示する表示手段（例えば、図２の表示部３３０；図１０のステップａ１４）と、
前記条件設定手段により設定された前記測定条件に応じて、前記表示手段に前記測定結果を表示する間隔を設定する表示間隔設定手段（例えば、図２のＣＰＵ３２０；図９のステップａ２〜ａ７）と、
前記表示間隔設定手段により設定された表示間隔で前記測定結果を表示するように前記表示手段を制御する表示制御手段（例えば、図２のＣＰＵ３２０；図９のステップａ１４，ａ１５）と、
を備えることを特徴とする生体情報測定システムである。
【００１０】
請求項５に記載の発明は、身体各部の生体情報を測定する測定装置（例えば、図２の筋電測定装置１０，１０）と、前記測定装置による生体情報の測定によって得られた測定結果を経時的に表示する制御装置（例えば、図２の制御装置３０）とを備えた生体情報測定システムであって、
前記制御装置は、
前記測定装置によって生体情報を測定するに先立って、生体情報を測定する際の運動条件を設定する運動条件設定手段（例えば、図２の入力部３１０；図９のステップａ１）と、
前記測定装置での生体情報の測定によって得られた測定結果を経時的に表示する表示手段（例えば、図２の表示部３３０；図１０のステップａ１４）と、
前記運動条件設定手段により設定された前記運動条件に応じて、前記表示手段に前記測定結果を表示する間隔を設定する表示間隔設定手段（例えば、図２のＣＰＵ３２０；図９のステップａ２〜ａ７）と、
前記表示間隔設定手段により設定された表示間隔で前記測定結果を表示するように前記表示手段を制御する表示制御手段（例えば、図２のＣＰＵ３２０；図９のステップａ１４，ａ１５）と、
を備えることを特徴とする生体情報測定システムである。
【００１１】
請求項６に記載の発明は、請求項４又は請求項５に記載の生体情報測定システムにおいて、前記測定装置は、少なくとも第１の測定装置及び第２の測定装置（例えば、図２の筋電測定装置１０，１０）であり、
前記制御装置は、
前記各測定装置での生体情報の測定によって得られた測定結果を受信する受信手段（例えば、図２の送受信部３４０；図９のステップａ１０）を備え、
前記表示制御手段は、前記受信手段によって受信した前記各測定装置による測定結果を前記各測定装置ごとに表示するように前記表示手段を制御する測定結果表示制御手段（例えば、図９のステップａ１４）を備えていることを特徴とする。
【発明の効果】
【００１２】
請求項１に記載の発明によれば、身体各部の生体情報を測定するための測定手段によって生体情報を測定する際の測定条件を設定すると、この設定された測定条件に応じて、表示手段に測定結果を表示する間隔を設定し、この設定された表示間隔で測定結果を表示するように表示手段を制御する制御することができる。このために、生体情報の経時的変化を示す測定結果を表示手段に表示させた場合に、見易く表示させることができるという効果を奏する。
【００１３】
請求項２に記載の発明によれば、身体各部の生体情報を測定する際の測定手段によって生体情報を測定するに先立って、複数の運動条件のうちのいずれかの運動条件を設定すると、この設定された運動条件に応じて、測定手段により測定された測定結果を表示手段に表示する間隔を設定し、この設定された表示間隔で表示手段に測定結果を表示するように制御することができる。このために、生体情報の経時的変化を示す測定結果を表示手段に表示させた場合に、見易く表示させることができるという効果を奏する。
【００１４】
また、請求項３に記載の発明によれば、表示間隔設定手段は、運動条件設定手段によって設定された運動条件である運動継続時間の長さが短いときは、測定手段により測定された測定結果を表示手段に表示する間隔を小さくし、運動条件設定手段によって設定された運動条件である運動継続時間の長さが長いときは測定結果を表示手段に表示する間隔を大きく設定することができる。このために、生体情報の経時的変化を示す測定結果を表示手段に表示させた場合に、見易く表示させることができる。
【００１５】
例えば１分間程度の運動のように運動継続時間が短い場合に、当該運動によって得られる測定結果をグラフ等で表示手段に表示する表示間隔を１分とすると、生体情報の経時的な変化を適切にグラフ等で表示することができない。逆に、１時間程度の運動のように運動継続時間が長い場合に、当該運動によって得られる測定結果をグラフ等で表示手段に表示する表示間隔を１分とすると、グラフ等の表示が細かくなりすぎて見づらくなる。
この点、請求項２に記載の発明によれば、生体情報の経時的な変化をグラフ等で表示手段に表示させる際に、運動条件設定手段によって設定された運動継続時間が短いときは、測定手段により測定された測定結果を表示手段に表示する間隔を小さくし、運動条件設定手段によって設定された運動継続時間が長いときは測定結果を表示手段に表示する間隔を大きく設定することができるため、運動継続時間の長短に関わりなく生体情報の変化がグラフ等の表示において見易い形式で表示されるという効果を奏する。
【００１６】
請求項４に記載の発明によれば、身体各部の生体情報を測定する測定装置と、この測定装置による生体情報の測定によって得られた測定結果を経時的に表示する制御装置とを備えた生体情報測定システムであって、制御装置おいて、測定装置によって生体情報を測定する際の測定条件を設定すると、この設定された測定条件に応じて、表示手段に測定結果を表示する間隔を設定し、この設定された表示間隔で測定結果を表示するように表示手段を制御することができる。
【００１７】
請求項５に記載の発明によれば、身体各部の生体情報を測定する測定装置と、この測定装置による生体情報の測定によって得られた測定結果を経時的に表示する制御装置とを備えた生体情報測定システムであって、制御装置において、測定装置によって生体情報を測定するに先立って、生体情報を測定する際の運動条件を設定すると、この設定された運動条件に応じて、表示手段に測定結果を表示する間隔を設定し、この設定された表示間隔で測定結果を表示するように表示手段を制御することができる。
【００１８】
また、請求項６に記載の発明によれば、少なくとも第１の測定装置及び第２の測定装置によって測定された測定結果を制御装置がそれぞれ受信して受信した各測定装置による測定結果を各測定装置ごとに表示手段に表示させることができる。これにより、ユーザは複数の測定装置によって測定された測定結果を比較して確認することができるとの効果を奏する。
【発明を実施するための最良の形態】
【００１９】
以下、本発明の生体情報測定システムの好適な実施形態について、図１〜図１１を参照して詳細に説明する。尚、以下では、生体情報としてサイクリング運動時の筋電位を測定する場合を例にとって説明する。
【００２０】
図１は、ユーザが生体情報測定システム１を装着した様子を示す図である。この生体情報測定システム１は、ユーザの身体各部に装着可能な測定装置としての複数の筋電測定装置１０と、各筋電測定装置１０と別体で、各筋電測定装置１０との間でデータ通信が可能な腕時計型の制御装置３０とで構成される。この実施形態に係る生体情報測定システム１において、サイクリング運動時の筋電位を測定する場合には、例えば、図１に示すように、両足の大腿四頭筋の外側広筋にそれぞれ筋電測定装置１０，１０（第１の測定装置及び第２の測定装置）が装着され、腕に制御装置３０が装着される。なお、本実施形態では、２つの筋電測定装置１０，１０（第１の測定装置及び第２の測定装置）を備える場合を例として説明するが、生体情報測定システム１に設けられる筋電測定装置１０の数はこれに限定されない。
【００２１】
この装着にあたって、ユーザは、筋電測定装置１０の電極部１１１（図２参照）を両足の大腿四頭筋の外側広筋にそれぞれ貼付してバンド等で固定するとともに、制御装置３０を手首に装着する。そして、ユーザは、制御装置３０を操作して筋電位の測定を開始させてからペダルを踏み込んで運動を開始する。或いは、ユーザは、運動途中から筋電位の測定を開始させることも可能である。
このようなサイクリング運動を行う場合、両足の筋肉は活動と休止を繰り返すので、その筋肉の活動状態と休止状態とを筋電位により検出すれば、筋肉運動の経時的変化状態を得ることができる。
［制御構成］
【００２２】
図２は、生体情報測定システム１を構成する筋電測定装置１０及び制御装置３０の制御構成の一例を示すブロック図である。
【００２３】
先ず、筋電測定装置１０の制御構成について説明する。この筋電測定装置１０は、測定部１１０と、ＣＰＵ１２０と、送受信部１３０と、記憶部１４０とを備えて構成されている。
【００２４】
このうち測定部１１０は、筋電位を測定する機能部であり、上述した外側広筋等の身体各部の肌に接触される一対の電極からなり、当該一対の電極間の電位差を経時的に検出する電極部１１１と、この電極部１１１により検出された電位差を低インピーダンス変換して出力するインピーダンス変換器１１２と、このインピーダンス変換器１１２から入力される信号を所定の信号レベルまで増幅して出力する増幅器１１３と、この増幅器１１３から入力される信号のうち所定の周波数範囲の信号を通過させて範囲外の周波数成分を除去するフィルタ１１４と、このフィルタ１１４から入力される信号をＡ／Ｄ変換して出力するＡ／Ｄ変換器１１５とで構成されている。
【００２５】
具体的には、電極部１１１で検出される２点間の電位変化は数１０μＶ〜数ｍＶで筋電位の周波数帯は２〜１０ＫＨｚである。一般に、生体のインピーダンスは非常に高いので、インピーダンス変換器（例えば電圧フォロー型の回路）１１２でインピーダンス変換を行う。次に、増幅器（例えば作動増幅器）１１３により、電圧を１００倍程度に増幅し、筋電波形を処理できるようにする。この増幅器１１３により増幅された波形には、様々な雑音（ノイズ）が重畳されている。そこで、次段のフィルタ１１４によって、筋電波形として処理する範囲外の周波数成分を除去する。次に、フィルタ１１４から入力される信号（アナログ信号）をＡ／Ｄ変換器（例えば１２ｂｉｔのＡ／Ｄ変換器）１１５でデジタル信号化する。
なお、ここではフィルタ１１４としてアナログフィルタを使用したが、アナログフィルタの代わりに、デジタルフィルタを用いてもよい。この場合には、デジタルフィルタは、Ａ／Ｄ変換器１１５の後段に設けられる。
【００２６】
ＣＰＵ１２０は、記憶部１４０に格納されるプログラムやデータ、制御装置３０から送信されたデータ等に基づいて筋電測定装置１０内の各機能部への指示やデータの転送等を行い、筋電測定装置１０を制御する。また本実施形態を実現するため、ＣＰＵ１２０は、測定部１１０により連続的に測定される筋電位（生体情報）を基に筋肉の活動状態（筋肉状態）を測定し、測定結果を制御装置３０に送信する筋肉状態測定処理を実行する。
【００２７】
この筋肉状態測定処理について、図３を参照して具体的に説明する。同図は、筋電波形の一例を示す図であり、左足の外側広筋に貼付された左足用の筋電測定装置１０の測定部１１０で測定された筋電位の波形を上段（図３（Ａ））に、右足の外側広筋に貼付された右足用の筋電測定装置１０の測定部１１０で測定された筋電位の波形を下段（図３（Ｂ））に示している。なお、実際の筋肉状態測定処理は、Ａ／Ｄ変換器１１５でデジタル化された信号の値をＣＰＵ１２０で演算することによってなされる。しかし、説明の便宜のために、ここでは、図３のアナログの筋電波形を用いて説明することとする。
【００２８】
この筋肉状態測定処理では、ＣＰＵ１２０は、測定された筋電位に基づいて、筋肉活動開始時点である筋肉活動開始タイミング（ｔａ）と、筋肉活動終了時点である筋肉活動終了タイミング（ｔｂ）を検出し、１回のペダリング毎に筋肉状態の測定を行う。
【００２９】
具体的には、ＣＰＵ１２０は、測定された筋電位の値が予め定められている基準値（所定の閾値）以上となった時点（以下「タイミング」という）を筋肉活動開始タイミング（ｔａ）と判定する。また、ＣＰＵ１２０は、その筋肉活動開始タイミング（ｔａ）からの筋電位の経時的変化を後述する筋電発生データとして記憶部１４０の筋電発生データエリア１４２に記憶する。そして、ＣＰＵ１２０は、筋電位の値が基準値未満となったかどうかを監視し、筋電位の値が基準値未満となった場合には、その時点から所定時間（Ｔｓ）の間に測定された筋電位の値が基準値を下回ったままか否かを判定する。下回ったままならば、上述の基準値未満となった時点を筋肉活動終了タイミング（ｔｂ）とする。また、ＣＰＵ１２０は、筋肉活動開始タイミング（ｔａ）から筋肉活動終了タイミング（ｔｂ）までの時間、すなわち、当該ペダリングにおいて筋肉が活動している（ペダルを踏み込んでいる）時間を、筋力持続時間（Ｔｖ）として算出し、記憶部１４０に記憶する。
なお、ここでは、測定された筋電位の値が基準値以上となったタイミングを筋肉活動開始タイミング（ｔａ）と判定することとしたが、所定時間内にその基準値以上となった回数が所定回数に至ったときに、その所定時間内で最初に基準値以上となった時点を筋肉活動開始タイミング（ｔａ）としてもよい。或いは、所定時間内にその基準値以上となった回数が所定回数に至ったときに、その所定時間内で最後に基準値以上となった時点を筋肉活動開始タイミング（ｔａ）としてもよい。以下、同様である。このようにするのは、特に、測定の開始時に筋電位の波形にノイズが混入し、そのノイズによって筋電測定装置１０が誤動作するのを防止するためである。
【００３０】
その後、ＣＰＵ１２０は、測定された筋電位の値が再び基準値以上となったならば、その時点で次回の筋肉活動が開始されたと判定する。この場合、ＣＰＵ１２０は、前回の筋肉活動開始タイミング（ｔａ）から当該時点までの時間、すなわち、前回のペダルの踏込みから次回のペダルの踏込みまでの時間、つまり１回のペダリングに要した時間を、活動間隔である筋電発生間隔（Ｔｓｙｃ）として算出するとともに、活動発生回数であるペダリング回数を更新する。そして、ＣＰＵ１２０は、前回のペダリングにおける筋電位の変化である筋電発生データから筋張力を評価するための指標である整流化平均値（ＡＲＶ：Averaged Rectified Value）と、筋疲労を評価するための指標である平均周波数（ＭＰＦ：Mean Power Frequency）等を算出する。
すなわち、ＣＰＵ１２０は、得られた筋電波形をもとに振幅値を処理して整流化平均値（ＡＲＶ）を求める。この整流化平均値は、発揮された筋力を示す指標となる。また、ＣＰＵ１２０は、得られた筋電波形をＦＦＴ測定して平均周波数（ＭＰＦ）等を求める。この平均周波数は、筋肉の疲労度を示す指標となる。
なお、この例では、ＣＰＵ１２０は、整流化平均値（ＡＲＶ）と、平均周波数（ＭＰＦ）などを算出することとしているが、ＣＰＵ１２０により算出される指標はこの例に限られない。例えば、前述した筋電発生データから主に筋張力に関係する実効値（ＲＭＳ：Root-Mean-Square-Value）、積分値、または、筋疲労に関係するメジアン周波数（Median Frequency）等を算出するようにしてもよい。
【００３１】
そして、筋肉活動開始タイミング（ｔａ）を更新するとともに筋電発生データをリセットし、上述の処理を行って次のペダリングに係る筋肉状態の測定を行う。
【００３２】
送受信部１３０は、制御装置３０との間で無線通信を行うための機能部であり、例えば図示しないアンテナを介して制御装置３０から送信された信号を復調してＣＰＵ１２０に出力する一方、ＣＰＵ１２０から入力される制御信号を変調し、アンテナを介して制御装置３０に送信する。
【００３３】
記憶部１４０は、ＲＯＭやＲＡＭ等のＩＣメモリ、ハードディスク等の情報記憶媒体及びその読取装置等によって実現されるものであり、ＣＰＵ１２０に筋電測定装置１０を制御させるためのプログラム等が格納されている。
図４は、記憶部１４０の具体的な構成例を示す図であり、本実施形態を実現するため、前述の筋肉状態測定処理を実行するための筋肉状態測定プログラムが筋肉状態測定プログラムエリア１４１に格納されている。また、データとして、筋電発生データと、筋肉活動開始タイミング（ｔａ）と、筋肉活動終了タイミング（ｔｂ）と、筋力持続時間（Ｔｖ）と、筋電発生間隔（Ｔｓｙｃ）と、ペダリング回数と、整流化平均値（ＡＲＶ）と、平均周波数（ＭＰＦ）とが、筋電発生データエリア１４２と、筋肉活動開始タイミング（ｔａ）エリア１４３と、筋肉活動終了タイミング（ｔｂ）エリア１４４と、筋力持続時間（Ｔｖ）エリア１４５と、筋電発生間隔（Ｔｓｙｃ）エリア１４６と、ペダリング回数エリア１４７と、整流化平均値（ＡＲＶ）エリア１４８と、平均周波数（ＭＰＦ）エリア１４９とにそれぞれ格納され、それぞれペダリングのサイクル毎に上書きされて更新される。
【００３４】
次に、制御装置３０の制御構成について説明する。図２に示すように、制御装置３０は、入力部３１０と、ＣＰＵ３２０と、表示部３３０と、送受信部３４０と、記憶部３５０とを備えて構成されている。
【００３５】
このうち入力部３１０は、例えば各種スイッチやダイヤル、タッチパネル等によって実現されるものであり、操作入力に応じた操作信号をＣＰＵ３２０に出力する。この入力部３１０の機能により、筋電位の測定開始指示や測定終了指示の入力が行われる。また、入力部３１０は、筋電測定装置１０によって生体情報を測定する際の運動条件を設定する運動条件設定手段として機能する。本実施形態においては、運動条件として後述の運動モードを設定する場合を例として説明する。筋電測定装置１０は、入力部３１０によって入力された運動モードに従って筋電位の測定を行うようになっている。
【００３６】
ここで、運動モードの設定について説明する。入力部３１０により設定される運動モードとしては、例えば、短期、中期、長期の３つのモードがある。短期モードは、例えば１〜２分以内の全力運動を想定したものであり、運動条件として短期モードが設定されたときは、例えば筋電測定装置１０による測定が測定開始から連続して行われる。
また、中期モードは、例えば１０分程度の運動を想定したものであり、運動条件として中期モードが設定されたときは、例えば筋電測定装置１０による測定が測定開始から短時間で繰り返される。
また、長期モードは、例えばマラソン等の１時間を超える運動を想定したものであり、運動条件として長期モードが設定されたときは、例えば筋電測定装置１０が５分おきに繰り返して測定を行う。
【００３７】
ＣＰＵ３２０は、記憶部３５０に格納されているプログラムやデータ、入力部３１０から入力される操作信号や筋電測定装置１０から送信されたデータ等に基づいて制御装置３０内の各機能部への指示やデータの転送等を行い、制御装置３０や生体情報測定システム１全体の制御等を行う。また、本実施形態を実現するため、ＣＰＵ３２０は、入力部３１０から測定開始指示が入力された場合に各筋電測定装置１０それぞれに測定開始信号を送信する一方、各筋電測定装置１０から随時送信される測定結果に基づいて表示部３３０の表示を制御する筋肉状態表示処理を実行する。
【００３８】
本実施形態において、ＣＰＵ３２０は、設定された運動モードに応じて、測定された筋電位の測定結果が筋電測定装置１０から送信されると、当該測定結果を表示部３３０に表示する間隔を運動条件としての運動モードに基づいて設定する表示間隔設定手段として機能する。
そして、例えば前記入力部３１０から運動が短期モードであると入力された場合（運動継続時間が短いとき）には、表示間隔設定手段としてのＣＰＵ３２０は、前記筋電測定装置１０により測定された測定結果を後述する表示部３３０に表示する間隔を小さく設定する短期間隔設定手段として機能する。また、前記入力部３１０から運動が長期モードであると入力された場合（運動継続時間が長いとき）には、表示間隔設定手段としてのＣＰＵ３２０は、前記筋電測定装置１０により測定された測定結果を後述する表示部３３０に表示する間隔を大きく設定する長期間隔設定手段として機能する。
このようにＣＰＵ３２０は、運動モードに基づいて表示部３３０に表示する間隔を設定し、設定した間隔で表示部３３０に測定結果をグラフ等ので表示をさせるように表示部３３０を制御する表示制御手段（測定結果表示制御手段）として機能するようになっている。
【００３９】
例えば、運動モードとして短期モードが入力されたときは、図１１（ａ）に示すように、筋電位や、筋肉の活動状態等の測定結果を１０秒ごとの間隔で表示させる。この場合、１０秒間に測定された筋電位や、それを測定して得られた筋肉の活動状態等の測定結果が棒グラフの棒１つ分となるように、棒グラフの横軸が設定される。なお、筋電測定装置１０が１０秒間に１回筋電位を測定した場合には、その筋電位や、筋肉の活動状態等の測定結果が棒グラフの棒１つ分となり、１０秒間に複数回筋電位を測定した場合には、その筋電位や、それを測定して得られた筋肉の活動状態等の測定結果の平均値が棒グラフの棒１つ分となる。
同様に、例えば、運動モードとして中期モードが入力されたときは、図１１（ｂ）に示すように、筋電位や、筋肉の活動状態等の測定結果を１分ごとの間隔で表示させる。この場合、１分間に測定された筋電位や、筋肉の活動状態等の測定結果が棒グラフの棒１つ分となるように、棒グラフの横軸が設定される。なお、筋電測定装置１０が１分間に１回筋電位を測定した場合には、その筋電位や、筋肉の活動状態等の測定結果が棒グラフの棒１つ分となり、１分間に複数回筋電位を測定した場合には、その筋電位や、筋肉の活動状態等の測定結果の平均値が棒グラフの棒１つ分となる点は短期モードと同様である。
また、例えば、運動モードとして長期モードが入力されたときは、図１１（ｃ）に示すように、筋電位や、筋肉の活動状態等の測定結果を５分ごとの間隔で表示させる。この場合には、５分間に測定された筋電位や、筋肉の活動状態等の測定結果が棒グラフの棒１つ分となるように、棒グラフの横軸が設定される。なお、５分間に１回筋電位を測定した場合及び５分間に複数回測定した場合に棒グラフの棒１つ分としてどの値を用いるかは短期モード、中期モードと同様である。
【００４０】
表示部３３０は、ＬＣＤやＥＬＤ等の表示装置により実現されるものであり、ＣＰＵ３２０の指示に従って、筋電測定装置１０で測定された筋電位の測定結果、例えば、測定された筋肉の活動状態（生体情報）等を表示する。本実施形態においては、前記のように表示間隔設定手段としてのＣＰＵ３２０が設定した表示間隔で表示部３３０にグラフが表示されるようにグラフの横軸の幅が設定され、表示部３３０は設定された表示間隔で筋電位や、筋肉の活動状態等の測定結果を示すグラフを表示する。
【００４１】
送受信部３４０は、筋電測定装置１０との間で無線通信を行うための機能部であり、例えば図示しないアンテナを介して筋電測定装置１０から送信された信号を復調してＣＰＵ３２０に出力するとともに、ＣＰＵ３２０から入力される制御信号を変調し、アンテナを介して制御装置３０に送信する。
【００４２】
記憶部３５０は、ＲＯＭやＲＡＭ等のＩＣメモリ、ハードディスク等の情報記憶媒体及びその読取装置等によって実現されるものであり、ＣＰＵ３２０に制御装置３０を制御させるためのプログラム等が格納される。
図５は、記憶部３５０の具体的な構成例を示す図であり、本実施形態を実現するため、前述の筋肉状態表示処理を実行するための筋肉状態表示プログラムエリア３５１を備えている。また、データとして、筋肉状態データと、ペダリング効率データと、平均ペダリング効率データとが、筋肉状態データエリア３５３と、ペダリング効率データエリア３５５と、平均ペダリング効率データエリア３５７とにそれぞれ格納されている。
【００４３】
筋肉状態データエリア３５３は、各筋電測定装置１０毎に用意され、該当する各筋電測定装置１０、１０から送信された測定結果をそれぞれ記憶する。
図６は、図５に示す筋肉状態データエリア３５３のデータ構成例を示す図である。同図に示すように、筋肉状態データエリア３５３には、測定結果であるペダリング回数、筋力持続時間（Ｔｖ）、筋電発生間隔（Ｔｓｙｃ）、整流化平均値（ＡＲＶ）、及び平均周波数（ＭＰＦ）の各値が、その受信順に割り振られるペダリング回数と対応付けられて格納されている。
【００４４】
ペダリング効率データエリア３５５は、各筋電測定装置１０毎に用意され、該当する各筋電測定装置１０から送信された測定結果に基づいて算出される活動効率であるペダリング効率を記憶する。以下に、ペダリング効率の算出式（１）を示す。
【００４５】
ペダリング効率＝（筋力持続時間（Ｔｖ）／筋電発生間隔（Ｔｓｙｃ））×１００
・・・（１）
【００４６】
すなわち、ペダリング効率は、１回のペダリング時間に対して実際に筋肉が活動した時間が占める割合を示す値であって、その値が小さい程ペダリング効率が高くなる。尚、その逆数をペダリング効率としてもよい。この場合には、その値が大きい程ペダリング効率が高くなる。
【００４７】
図７は、この図５のペダリング効率データエリア３５５のデータ内容を模式的に示した図であり、同図において、左足用の筋電測定装置１０での測定結果に基づくペダリング効率データを左側に、右足用の筋電測定装置１０での測定結果に基づくペダリング効率データを右側に示している。
図６に示すペダリング効率データエリア３５５には、上記した算出式（１）により算出されたペダリング効率がペダリング回数と対応付けられて記憶される。
【００４８】
図６に示す平均ペダリング効率データエリア３５７は、各筋電測定装置１０毎に用意され、１回のサイクリング運動で得られたペダリング効率の平均値を記憶する。図８は、この平均ペダリング効率データエリア３５７のデータ内容を模式的に示した図であり、同図において、左足用のペダリング効率データに基づく平均ペダリング効率データを左側に、右足用のペダリング効率データに基づく平均ペダリング効率データを右側に示している。この平均ペダリング効率データエリア３５７には、ペダリング効率データに基づいて現在のサイクリング運動に係る現時点での平均ペダリング効率が随時更新されて記憶されるとともに、過去のサイクリング運動において最終的に得られた平均ペダリング効率が記憶される。すなわち、例えば現在サイクリング運動が行われているならば、当該サイクリング運動（図８では７回目のサイクリング運動）に係る平均ペダリング効率がペダリング毎に更新されていく。
［処理の流れ］
【００４９】
次に、筋電測定装置１０及び制御装置３０における処理の流れについて、図９及び図１０を参照して説明する。尚、ここで説明する処理は、筋電測定装置１０のＣＰＵ１２０が筋肉状態測定プログラムエリア１４１から筋肉状態測定プログラムを読み出して実行し、制御装置３０のＣＰＵ３２０が筋肉状態表示プログラムエリア３５１から筋肉状態表示プログラムを読み出して実行することにより実現される処理であり、制御装置３０において、入力部３１０から測定終了指示が入力された場合、或いはプログラムに基づき所定時間経過した場合に終了される。
【００５０】
すなわち、先ず、制御装置３０において入力部３１０から複数の運動モードの中から、希望する運動モードが入力され、その結果、特定の運動モードの設定（運動条件の設定）運動モードが入力されることにより、運動モードの設定（運動条件の設定）が行われると（ステップａ１）、ＣＰＵ３２０は、入力（設定）された運動モードが短期モードかを判断し（ステップａ２）、短期モードであれば（ステップａ２：ＹＥＳ）、測定結果を表示部３３０に表示する表示間隔を１０秒に設定する（ステップａ３）。短期モードでなければ（ステップａ２：ＮＯ）、中期モードかを判断し（ステップａ４）、中期モードであれば（ステップａ４：ＹＥＳ）、測定結果を表示部３３０に表示する表示間隔を１分に設定する（ステップａ５）。中期モードでなければ（ステップａ４：ＮＯ）、さらに長期モードかを判断し（ステップａ６）、長期モードであれば（ステップａ６：ＹＥＳ）、測定結果を表示部３３０に表示する表示間隔を５分に設定する（ステップａ７）。なお、長期モードでもないと判断されると（ステップａ６：ＮＯ）、再度ステップａ２に戻って運動モードの判断を繰り返す。
【００５１】
さらに、制御装置３０において入力部３１０から測定開始指示が入力された場合には（ステップａ８）、ＣＰＵ３２０が、各筋電測定装置１０の各々に設定された運動モードを指示する運動モード指示信号と測定開始を指示する測定開始信号を送信する（ステップａ９）。
【００５２】
これに応答して筋電測定装置１０では、ＣＰＵ１２０は、筋肉状態測定処理を実行する。すなわちＣＰＵ１２０は、運動モード指示信号及び測定開始信号を受信したならば（ステップｂ１）、指示された運動モードに応じた測定周期で測定部１１０による筋電位の測定を開始させる（ステップｂ２）。なお、筋電測定装置１０は運動モードに関わりなく、常に連続して筋電位の測定を行ってもよい。以下においては、筋電測定装置１０が設定された運動モードに関わりなく、連続的に筋電位の測定を行う場合について説明する。
【００５３】
ＣＰＵ１２０は、測定部１１０により連続的に測定される筋電位の値を筋電測定装置１０側で予め定められている基準値と比較する。測定された筋電位の値（例えば、振幅値）が基準値以上となった場合には（ステップｂ３：ＹＥＳ）、ＣＰＵ１２０は、その時点を筋肉活動開始タイミング（ｔａ）とし、その筋肉活動開始タイミング（ｔａ）を図４に示す記憶部１４０の筋肉活動開始タイミングエリア１４３に記憶する（ステップｂ４）。
【００５４】
これと同時に、ＣＰＵ１２０は、この決定した筋肉活動開始タイミング（ｔａ）からの筋電位の記憶を開始し、その筋電位の値を図５に示す記憶部１４０の筋電発生データエリア１４２に保存する（ステップｂ５）。また、ＣＰＵ１２０は、順次測定される筋電位の変化を監視し、筋電位の値（例えば、振幅値）が基準値未満となった場合には（ステップｂ６：ＹＥＳ）、図３を参照して上述したように、その時点から所定時間（Ｔｓ）が経過するまでの間に測定された筋電位の値が基準値を下回ったままか否かを判定する。そして、ＣＰＵ１２０は、下回ったままならば筋肉活動終了と判定し（ステップｂ７：ＹＥＳ）、ステップｂ６で判定した基準値未満となった時点を図４の筋肉活動終了タイミング（ｔｂ）エリア１４４に記憶するとともに（ステップｂ８）、筋肉活動開始タイミング（ｔａ）エリア１４３に記憶されている筋肉活動開始タイミング（ｔａ）から筋肉活動終了タイミング（ｔｂ）エリア１４４に記憶されている筋肉活動終了タイミング（ｔｂ）までの時間を筋力持続時間（Ｔｖ）として算出し（ステップｂ９）、記憶部１４０の筋力持続時間（Ｔｖ）エリア１４５に保存する。
【００５５】
そして、ＣＰＵ１２０は、測定部１１０により測定される筋電位の値が再び基準値以上となったならば（ステップｂ１０：ＹＥＳ）、次回のペダリングについての筋電位を得るためステップｂ４に戻り、その基準値以上となった時点を次回の筋肉活動開始タイミング（ｔａ）とし、ステップｂ４からｂ１０のまでのステップを経て次回のペダリングに関する測定を行う。
一方、ＣＰＵ１２０は、ステップｂ１０で測定部１１０により測定された筋電位の値が基準値以上となった時点（ステップｂ１０：ＹＥＳ）で、前回の筋電位の記憶を終了する（ステップｂ１１）。そして、ＣＰＵ１２０は、ペダリング回数を更新するとともに（ステップｂ１２）、ＣＰＵ１２０は、ステップｂ４で決定した筋肉活動開始タイミング（ｔａ）から筋肉活動終了タイミング（ｔｂ）までの時間を筋電発生間隔（Ｔｓｙｃ）として算出し（ステップｂ１３）、その算出結果を筋電発生間隔（Ｔｓｙｃ）エリア１４６に保存する。次いでＣＰＵ１２０は、得られた今回のペダリングにおける筋電発生データに基づいて整流化平均値（ＡＲＶ）及び平均周波数（ＭＰＦ）を算出し（ステップｂ１４）、記憶部１４０の整流化平均値（ＡＲＶ）エリア１４８及び平均周波数（ＭＰＦ）エリア１４９にそれぞれ保存する。
【００５６】
続いてＣＰＵ１２０は、ステップｂ９で算出した筋力持続時間（Ｔｖ）、ステップｂ１３で算出した筋電発生間隔（Ｔｓｙｃ）、ステップｂ１４で算出した整流化平均値（ＡＲＶ）及び平均周波数（ＭＰＦ）の各値をステップｂ１２で更新したペダリング回数と対応付けて、測定結果として制御装置３０に送信する（ステップｂ１５）。
【００５７】
一方、制御装置３０では、ＣＰＵ３２０は、測定結果を受信したならば（ステップａ１０）、受信した測定結果を、当該測定結果を送信した筋電測定装置１０用の筋肉状態データエリア３５３に追加して格納する（ステップａ１１）。すなわち、左足用の筋電測定装置１０から受信した測定結果を左足用の筋肉状態データエリア３５３に追加して格納し、右足用の筋電測定装置１０から受信した測定結果を右足用の筋肉状態データエリア３５３に追加して格納する。
【００５８】
続いてＣＰＵ３２０は、ペダリング効率を算出する（ステップａ１２）。具体的には、ステップａ４０で筋肉状態データエリア３５３に追加した測定結果から、筋力持続時間（Ｔｖ）及び筋電発生間隔（Ｔｓｙｃ）の各値を読み出す。そして、上記した算出式（１）に従ってペダリング効率を算出し、算出されたペダリング効率データをペダリング回数と対応付けてペダリング効率データエリア３５５に追加して格納する処理を、左足と右足それぞれについて行う。
【００５９】
続いてＣＰＵ３２０は、平均ペダリング効率を算出する（ステップａ１３）。すなわち、ペダリング効率データエリア３５５に格納されているペダリング効率の平均値を今回のサイクリング運動に係る平均ペダリング効率として算出し、平均ペダリング効率データエリア３５７に格納されている平均ペダリング効率データを更新する処理を、左足と右足それぞれについて行う。
【００６０】
そして、ＣＰＵ３２０は、筋肉状態データ、ペダリング効率データ、及び平均ペダリング効率データの各データに基づいて表示部３３０の表示を制御する（ステップａ１４）。
【００６１】
例えば、ＣＰＵ３２０は、設定された運動モードに応じた表示間隔となるように表示部３３０に表示させるグラフの横軸を設定し、筋力持続時間（Ｔｖ）、筋電発生間隔（Ｔｓｙｃ）、整流化平均値（ＡＲＶ）、平均周波数（ＭＰＦ）、ペダリング効率、今回のサイクリング運動に係る平均ペダリング効率の各値の経時的変化を各測定装置１０による測定結果として、各測定装置１０、１０ごとに、すなわち、左足と右足とで対比させて表示部３３０にグラフ表示する。また、今回のサイクリング運動に係る平均ペダリング効率と併せて過去のサイクリング運動に係る平均ペダリング効率をグラフ表示することとしてもよく、例えば、左足と右足とで対比させてグラフ表示する。
これによれば、筋電位をもとに測定した両足の緊張度や筋疲労に係る情報を、ペダリング毎に測定してユーザに提示することができる。また、ペダリング効率及び平均ペダリング効率の各値を、ペダリング毎に算出してユーザに提示することができるので、ユーザは、これらの値をペース配分の参考にしながら運動することができる。
さらに、左足と右足とで対比させてグラフ表示をすれば、ユーザは、左右の対称性（バランス等）を容易に把握することができる。
【００６２】
さらにＣＰＵ３２０は、設定された運動モードに応じた次の表示間隔となる時期が経過した否かを常に判断し（ステップａ１５）、次の表示間隔となる時期が経過するまでは（ステップａ１５：ＮＯ）、当該測定結果を表示部３３０に表示させてステップａ１５の判断を繰り返す。他方、表示間隔が経過すると（ステップａ１５：ＹＥＳ）、ＣＰＵ３２０は次の測定結果を受信したかを判断し（ステップａ１６）、次の測定結果を受信した場合には（ステップａ１６：ＹＥＳ）、ＣＰＵ３２０はステップａ１１からステップａ１４の処理を繰り返し、新たに取得した測定結果を先に表示されている測定結果と並べて表示部３３０に表示させる。他方、次の測定結果を受信していない場合には（ステップａ１６：ＮＯ）、ＣＰＵ３２０は筋肉状態表示処理を終了する。
【００６３】
以上説明したように、本実施形態によれば、身体各部に装着された筋電測定装置１０によって、測定した筋電位をもとに該当部位の筋肉状態を測定し、制御装置３０において随時更新表示することができる。このように、運動等に伴う筋肉状態等身体の疲労度等の生体情報の経時的変化を測定結果としてグラフ等で表示することができることにより、ユーザは自分の身体の状態を経時的に把握でき、身体の状態に合わせた運動、動作等を行うことができる。
【００６４】
またこのとき、予め設定された運動モードに応じた表示間隔で測定結果を表示させるようにしているので、運動時間が短い短期モードの場合も、運動時間の長い長期モードの場合もともにユーザにとって見易い表示形式で表示させることができる。
すなわち、運動等を行う場合には、運動の種類や運動を行う者（ユーザ）によってそれぞれ運動の継続時間や動作回数等が異なるが、本実施形態によれば、予め設定された運動モードに応じて測定結果を表示部３３０に表示する間隔を設定するので、生体情報の経時的変化を示す測定結果をグラフ等で運動の継続時間や動作回数等に応じて見易く表示することができる。
【００６５】
さらに各部位で測定された筋電位の測定結果を各測定装置１０、１０ごとに対比させて表示することができるので、ユーザは、各部位の筋肉状態の違いを比較しながら運動できる。
【００６６】
尚、上記した実施形態では、サイクリング運動時の筋電位を測定する場合を例にとって説明としたが、例えばウォーキング、ジョギング又はマラソンといった他の運動時における筋電位を測定する場合にも同様に適用可能である。
【００６７】
また、上記した実施形態では、両足の外側広筋の２箇所に筋電測定装置１０を装着して筋電位を測定する場合について説明したが、筋電測定装置１０が装着される箇所はこれに限定されるものではなく、例えば大腿直筋や大腿二頭筋、ヒラメ筋といった他の足の筋肉や、上腕二頭筋や上腕三頭筋等の腕の筋肉等、筋電位を測定して筋肉状態を測定したい他の筋肉に装着することとしても勿論構わない。また、筋電測定装置１０を装着する箇所は２箇所に限定されず、さらに多くの箇所に装着してもよいし、いずれか１箇所のみに装着してもよい。
【００６８】
また、本実施形態においては、ユーザが制御装置３０の入力部３１０から複数の運動モードの中から、希望する運動モードを入力し、入力部３１０から運動モードを入力ことによりＣＰＵ３２０が表示間隔を設定する構成としたが、生体情報を測定する際の測定条件を設定する条件設定手段、または、生体情報を測定するに先立って、複数の運動条件のうちいずれかの運動条件を設定する運動条件設定手段はここに例示されたものに限定されない。
例えば、１分間のペダリング回数（ケイデンス）の大小に基づいて、ＣＰＵ３２０が自動的に測定条件または運動条件を設定し、表示間隔を決定するように構成してもよい。この場合には、ＣＰＵ３２０が測定条件または運動条件を設定する条件設定手段、または、運動条件設定手段として機能する。
例えば、１分間のぺダリング回数が多い場合には測定条件または運動条件を短期モードと判断し、表示間隔を短く設定し、１分間のぺダリング回数が少ない場合には測定条件または運動条件を長期モードと判断し、表示間隔を長く設定する。この場合には、１分間のペダリング回数（ケイデンス）がどの程度の場合にどの測定条件または運動条件に設定するかを対応付けたテーブルが制御装置３０の記憶部３５０に格納されるものとし、ＣＰＵ３２０はこのテーブルを参照することにより測定条件または運動条件を設定する。なお、１分間のペダリング回数（ケイデンス）が何回以上であれば短期モードであり、何回以上であれば長期モードとするかの閾値は予め設定されていてもよいし、ユーザが任意に設定できるようにしてもよい。
【００６９】
また、本実施形態においては、図１１に示すように、時間を表示部３３０に表示させるグラフの横軸として設定するようにしてが、ペダリング回数を横軸にとり、例えば短期モードであれば毎回のペダリングごとにグラフを表示させ、長期モードであれば１０回のペダリングごとにグラフを表示させるというようにグラフの表示間隔を変えるようにしてもよい。
【００７０】
また、本実施形態においては、表示部３３０に表示させる際の表示間隔は運動モードごとに一定としたが、表示間隔を途中で変更できるようにしてもよい。例えば、１分間ごとに表示を行っている場合に運動時間が３０分を超えた場合には当該時間までに測定された結果の平均値を１まとまりとして１本のグラフにまとめ、次の１分から再び１分間ごとの表示間隔で表示させるようにしてもよい。また、１日の運動が終了したら、その時点で１日分の測定結果の平均値を１本のグラフにまとめ、次に運動する際には、前回の運動時の平均値のグラフの横に、新たな測定結果を設定された表示間隔にしたがって表示させるようにしてもよい。
【００７１】
さらに、制御装置３０を次のような構成としてもよい。すなわち、記憶部３５０に格納される筋肉状態データ、ペダリング効率データ、及び平均ペダリング効率データの各データをパソコン等の外部で利用可能なように、メモリカード等の可搬型の情報記憶媒体に保存する構成としてもよい。或いは、上述の各データを外部に伝送するための機能部を設けることとしてもよい。
【００７２】
また、送受信部１３０，３４０を安く実現するため、上記運動モードをそれぞれの筋電測定装置１０で設定できるようにし、筋電測定装置１０は送受信機能のうち送信機能のみを有し、一方、制御装置３０は送受信機能のうち受信機能のみを有するように構成してもよい。この場合には、筋電測定装置１０側に入力部が必要となる。
【００７３】
さらに、現在表示の測定結果を直前の測定結果と比較しやすいように、例えば、制御装置３０において、直前のピッチ（周期）に対し、次回のピッチの増減に応じて、色を変化させて表示するようにしてもよい。例えば、ピッチが増加した場合には「赤」、減少の場合には「緑」、変化なしの場合には「黄」とする。
【００７４】
また、現在のピッチ（周期）に対し、増加又は減少したい意思を入力する手段を設け、制御装置３０において、現ピッチを基準に次第に増加又は減少したピッチを表示するようにしてもよい。或いは、それに加えて、検出ピッチの変化状態に応じて、そのピッチタイミングに指定方向の増減を入れて表示するようにしてもよい。
【００７５】
また、本実施形態においては、筋電測定装置１０と制御装置３０とをそれぞれ別体として備える生体情報測定システムについて説明したが、筋電測定装置１０と制御装置３０とを一体とし、筋電位等の生体情報の測定、生体情報を測定する際の運動条件の設定、生体情報を測定することによって得られた測定結果の表示、測定結果を表示する間隔の設定とを一体の装置において実現する生体情報測定装置であってもよい。
【００７６】
また、本実施形態においては、筋電測定装置１０によって生体情報としての筋電位を側定する場合について説明したが、測定装置（測定手段）によって測定される対象は、筋電位に限定されない。例えば、血圧や心拍数、脈拍等、人体の生体情報を広く含むものであってもよい。
【図面の簡単な説明】
【００７７】
【図１】本願発明の生体情報測定システムの使用例を示す図である。
【図２】本願発明の生体情報測定システムを構成する筋電測定装置及び制御装置の制御構成の一例を示すブロック図である。
【図３】（Ａ）及び（Ｂ）は、左足と右足の各筋電波形の一例を示す図である。
【図４】筋電測定装置の記憶部の構成例を示す図である。
【図５】制御装置の記憶部の具体的な構成例を示す図である。
【図６】筋肉状態データのデータ構成例を示す図である。
【図７】ペダリング効率データのデータ内容を模式的に示した図である。
【図８】平均ペダリング効率データのデータ内容を模式的に示した図である。
【図９】筋電測定装置及び制御装置における処理の流れを説明するためのフローチャートである。
【図１０】筋電測定装置及び制御装置における処理の流れを説明するためのフローチャートである。
【図１１】（ａ）は、短期モードの際に表示部に表示されるグラフの一例を示した図であり、（ｂ）は、中期モードの際に表示部に表示されるグラフの一例を示した図であり、（ｃ）は、長期モードの際に表示部に表示されるグラフの一例を示した図である。
【符号の説明】
【００７８】
１  生体情報測定システム
１０  筋電測定装置
１１０  測定部
１１１  電極
１１２  インピーダンス変換器
１１３  増幅器
１１４  フィルタ
１１５  Ａ／Ｄ変換器
１２０  ＣＰＵ
１３０  送受信部
１４０  記憶部
３０  制御装置
３１０  入力部
３２０  ＣＰＵ
３３０  表示部
３４０  送受信部
３５０  記憶部
【図１】
2007301229.tif 000003
【図２】
2007301229.tif 000004
【図３】
2007301229.tif 000005
【図４】
2007301229.tif 000006
【図５】
2007301229.tif 000007
【図６】
2007301229.tif 000008
【図７】
2007301229.tif 000009
【図８】
2007301229.tif 000010
【図９】
2007301229.tif 000011
【図１０】
2007301229.tif 000012
【図１１】
2007301229.tif 000013